(57)【要約】【課題】  液晶表示装置ＬＣＤ）およびバックライト装置の集光シートの照光面上での管ムラを一定に抑えるために筐体２１上に並設した円筒状光源(ランプ)２３の撓みを補正可能なＬＣＤ及びバックライト装置並びに光源保持部材を提供しようとするものである。【解決手段】  ＬＣＤおよびバックライト装置２０の筐体２１内に配設した複数のランプ２３のガラス管壁が長尺化することで上下左右方向に生ずる撓みを管壁の上側から押さえ込む光源保持部材３５によりランプ２３の撓みを補正する。【選択図】      図１
2005251479.tif 000002
【特許請求の範囲】
【請求項１】
ランプハウスを構成する略長方形状の筐体の内面に反射面を有し、複数の円筒状光源が該筐体内に配設され、該筐体の開口部上に光透過拡散板を設けて照光面上に該円筒状光源の透過光を得る様に成されたバックライト装置に於いて、
上記円筒状光源の管壁を押さえ込む方向に該円筒状光源を保持する光源保持部材を上記筐体に枢着することを特徴とするバックライト装置。
【請求項２】
前記光源保持部材は略方形状の基板により前記管壁に挿入可能なアーチ状部を形成したことを特徴とする請求項１記載のバックライト装置。
【請求項３】
前記光源保持部材は略方形状の基盤に前記管壁に挿入可能な溝部を形成したことを特徴とする請求項１記載のバックライト装置。
【請求項４】
上記光源保持部材は前記複数の隣接する円筒状光源を同時に保持することを特徴とする請求項１乃至請求項３記載のいずれか1項記載のバックライト装置。
【請求項５】
前記円筒状光源は該円筒状光源の管壁を押さえ込む方向に該円筒状光源を保持する光源保持部材およびＯリングの光源保持部材との組み合わせから構成させたことを特徴とする請求項１乃至請求項４記載のいずれか1項記載のバックライト装置。
【請求項６】
前記光源保持部材に前記光透過拡散板を保持する支持ピンを形成したことを特徴とする請求項１乃至請求項５記載のいずれか１項記載のバックライト装置。
【請求項７】
略長方形状の筐体の内面に複数の円筒状光源を配設させて該筐体の開口部上に光透過拡散板を設けた液晶表示装置であって、
上記円筒状光源の管壁を押さえ込む方向に該円筒状光源を保持する光源保持部材を上記筐体に枢着することを特徴とする液晶表示装置。
【請求項８】
基板または基盤に円筒光源の管壁に沿って押さえ込む方向に挿入可能なアーチ状部または溝部を形成したことを特徴とする光源保持部材。
【発明の詳細な説明】
【技術分野】
【０００１】
本発明は液晶表示装置（以下ＬＣＤと記す）に用いるバックライト装置用円筒状光源の保持部材に係わり、特に、円筒状光源の撓みを防止する様に成したバックライト装置およびＬＣＤ並びに光源保持部材の改良に関する。
【背景技術】
【０００２】
従来から、バックライト装置やＬＣＤはマイクロコンピュータ、テレビジョン受像機等の電子機器の表示装置として広く利用されている。ＬＣＤは非発光性のため、バックライト装置の様な外部照射用の光源を必要としている。
【０００３】
このような従来から使用されているＬＣＤは大別すると液晶セルとバックライト装置に分けられ、液晶セルはカラーフィルタ、ＴＦＴ(薄膜トランジスタ)アレイを生成した２枚のガラス基板間に封じ込んだ液晶、ガラス基板の夫々の外側の面に配置された偏光板とで構成されている。
【０００４】
また、ＬＣＤに用いるバックライト装置としては、円筒状光源に冷陰極管又は熱陰極管等の細径の蛍光管（蛍光ランプ）を用いるのが一般的であり、構造としては導光板の側面に円筒状光源を配設したエッジライト方式と、筐体内部に反射体（以下反射板と記す）及び円筒状光源を収納し、筐体の開口部に配設した光透過拡散板に円筒状光源からの直接光及び円筒状光源からの光を反射板で反射させた光を光透過拡散板で入射拡散させて均一な面状光を出光させる様にした直下方式が知られている。
【０００５】
上述の直下方式或いはエッジライト方式はＬＣＤの要求性能に応じて選択されるが直下方式は円筒状光源の直接光を利用するためエッジライト方式に比較して光の利用効率が高く、大型のモニタ用、テレビジョン受像機用等の高輝度を必要とする用途に適している。
【０００６】
このような、従来の直下方式のバックライト装置やＬＣＤに用いる、細径で長尺の円筒状光源（以下ランプと記す）の軸方向と直交する方向の撓みを補正するための光源支持部材としてはシリコンゴム等で形成したＯリングをランプのガラス外壁に挿入し、Ｏリングの外周部をランプハウスとなる略箱型の筐体内面に形成した反射板に当接させている。然し、筐体が大きくなり３０インチ〜４５インチのＬＣＤとなるとランプも長尺化され、Ｏリングだけでは隣接のランプ方向への撓みなどは補正することが出来なくなりＬＣＤの照光面上で輝度ムラを生じていた。
【０００７】
この様な弊害が除去可能なランプホルダが特許文献１に示されている。図９（Ａ）〜（Ｃ）は特許文献１に記載されたランプホルダの構成の一部を示すもので図９（Ａ）は直下方式のバックライト装置の略線的側断面図であり、１は円筒状光源を構成するランプ、２はランプを支持するランプホルダ、３は箱状に上部を開口部となしたランプハウスとなる内部に反射板４を有する筐体、５は光拡散板、６は液晶パネル（ＬＣＤ）である。
【０００８】
ランプホルダ２は、図９（Ｂ）および図９（Ｃ）に示す様に略矩形状の基盤８上にランプ３の管壁を挟着する逆Ω状の挟着部９を複数個形成し、基盤８の下部に形成した挿入部１０を反射板４に穿った透孔１１に挿入固定し、ランプ１の撓みをランプホルダ２で支持してランプ１の弛みを防止している。
【０００９】
また、直下式バックライトは通常、ランプ１から画面方向に向かって数１０ｍｍの空間を開けて光拡散板５が配置される。
【００１０】
この光拡散板５の材料にはアクリル等を用いており、熱膨張に非常に敏感であり、光拡散板５の表裏に温度差がある場合、温度が高い方向に向かって反ることから、直下式バックライトに用いた場合にランプ１方向へ反ってしまい輝度ムラの原因となる。
【００１１】
そこで図９（Ａ）の様にランプホルダ２の中間部分に形成した突起７で拡散板５との距離を保ち、輝度ムラを抑制することが可能となる。
【００１２】
つまり、ランプホルダ２によりランプ１の曲がり防止と、光拡散板５の反り防止の両方の機能を有するＬＣＤが開示されている。
【００１３】
さらに、特許文献２には、ランプ１の撓みを防止するためのランプホルダ２、２ａとして大型化されたＬＣＤやバックライト装置の照光面が水平状態から垂直方向を経て下向状態になっても長尺化されたランプ１が撓まない様に構成したランプホルダ２、２ａが開示されている。
【００１４】
図１０（Ａ）は、特許文献２に開示されているバックライト装置のランプの支持状態を示す一部を切り欠いた斜視図を示すもので図９（Ａ）〜（Ｃ）との対応部分には同一符号を付して重複説明を省略する。図１０（Ａ）のランプ１を保持するランプホルダ２の構成は図１０（Ｂ）〜図１０（Ｄ）の様に構成されている。
【００１５】
図１０（Ｂ）はランプホルダの1例の構造を示す斜視図である。図に示すようにランプホルダ２は板状で底面側から視て矩形、平面側で凹周を有する形状をなしている。凹周側は周面１２ａと、その両側に連なり、矩形側の基部１３から夫々延びる突出部とを有する。周面１２ａを上に向けて基部１３を筐体３の底面に固定することにより、周面１２ａは、その接面がケースの底面に略平行である部分を含む曲面になっている。夫々の突出部の上面（光拡散板の支持面）１２ｂ，１２ｃは、ランプホルダ２が筐体（反射板４）３に固定された状態で筐体３の底面に略平行であり、一方の上面１２ｂの筐体３の底面からの高さは他方の上面１２ｃよりも高く、光拡散板５に当接して、この光拡散板５を支持するようになっている。
【００１６】
このような構成のランプホルダ２を備えたバックライト装置にあっては、バックライト装置を水平上向き、鉛直及び斜めのいずれに向けた場合でもランプ１は周面１２ａで支持されるので撓むことがない。また、上面１２ｂで光拡散板５を支持しているので光拡散板５の撓みも防止できる。
【００１７】
図１０（Ｃ）、（Ｄ）は他のランプホルダ２ａを示すものでその形状は略矩形板状であり、中心に向かう略渦巻き状の略一周分の内周面１４を有する。ランプホルダ２ａは、内周面１４の両側に基部１３から延びる突出部を有しており、夫々の突出部の上面（光拡散板の支持面）１２ｂ、１２ｃを上側にして基部１３を筐体（反射板４）３の底面に固定することにより、内周面１４は略360 °分の曲面を含む。突出部の上面１２ｂ、１２ｃは、ランプホルダ２ａが筐体３に固定された状態で筐体３の底面に略平行であり、一方の上面１２ｂの筐体３の底面からの高さは他方の上面１２ｃよりも高く、光拡散板５に当接してこれを支持している。
【００１８】
図１０（Ｄ）はランプホルダ２に挿入するランプ１の挿入位置を説明する説明図で、切込みの始まり側から矢印Ａ方向に挿入されたランプ１は内周面１４で支持される。バックライト装置を水平上向き，鉛直，斜め及び水平下向きのいずれに向けた場合でもランプ１は内周面１４で支持されるのでランプ１が撓むことがなく、また、上面１２ｂで光拡散板５を支持しているので光拡散板５の撓みも防止できるので、バックライト装置は全ての方向でランプ１を支持し、その撓みを防止できてＬＣＤの表示面がプラネタリウムの様に鑑賞者が下から見上げる場合のように、ＬＣＤが下側を向いていてもランプ１を支持することが可能となる。
【００１９】
上述の特許文献１に示す様な構成のランプホルダ２では筐体３内に並設した複数のランプ１が筐体３の反射板４側に撓んだ時は板バネ状の挟着部９によってランプ１の管壁を押さえることが出来るが、平設された隣接ランプ１の方向にランプ１が撓んだ時には、可撓性のある挟着部９の一方の挟着片が撓み、横方向のランプ１の撓みを保持出来なくなる。したがって、平設された隣接ランプ１間のピッチが変化し、ＬＣＤやバックライト装置の照光面上で輝度ムラを発生する要因となる課題を有していた。
【００２０】
また、特許文献２の図１０（Ｂ）に示す様な構成のランプホルダ２ではランプ１が上側に撓みを生じたとき、特許文献１に述べたと同様な課題を生ずる、図１０（Ｃ）に示す様な構成のランプホルダ２ではランプホルダ２のランプ挿入口がランプ１の管壁を保持する位置が上下左右で異なる位置となるため平設された複数のランプ１の異なる撓みを同時に補正しようとするとランプ１の撓みがより増大する場合が生ずる。たとえば、図１０（Ｄ）で矢印Ｂ方向に撓んだランプ１を挿入するとランプ１は内周面１４で支持されるために、更に矢印Ｂ方向に曲げられることになる。したがって、バックライト装置を水平上向き，鉛直，斜め及び水平下向きのいずれに向けた場合でもランプ１を内周面１４で支持するにはランプ１が他の要因により撓でないことが必要となるため、撓みの生じたランプ１ではＬＣＤやバックライト装置の照光面上で輝度ムラを発生する要因となる課題を有していた。
【００２１】
さらに、上述の特許文献１および特許文献２に記載のランプホルダ２、２ａによると次のような課題を発生する。
（１）上述のランプホルダ２、２ａは筐体３の反射板４上に固定され、着脱自在のランプ１の管壁を挟着部９、周面１２ａ、内周面１４内に挿着する構成とされているが、最近の大型化されたＬＣＤでは、ランプ１の電極を構成するステムは筐体３あるいは反射板４の左右側板に穿った透孔内に嵌合させたゴム等のＯリングに挿通され、電極から引き出された電極線はプリント基板等に半田付けされ固定されているため、複数のランプ１を平設するためにはランプホルダ２、２ａは筐体３の底面あるいは反射板４上に予め固定させて置く必要がある。したがって、バックライト装置を水平上向き，鉛直，斜め及び水平下向きにしたことでランプ１が撓む以外の要因で撓んだランプ１の位置補正を行うことが出来ない課題を生ずる。
（２）また、（１）項で述べたように大型化された、例えば、２５インチ乃至４５インチ用等の大型のＬＣＤ筐体３あるいは反射板４を上面に開口部を有する略箱型にプレス成型し、合成樹脂等で成型した額縁部を開口部周辺に配設したバックライト装置では、各部品のプレス時の加工精度や組み立て時の組み立て精度のバラッキに基づき、ランプ１の電極間の取り付け寸法に比べて筐体3側の取り付け寸法が小さくなった時、筐体３あるいは反射板４の左右側板間に並設したランプ１、１・・は例えば図１０（Ａ）において、光拡散板５の方向(上方向)へブリッジ状に、あるいはランプ１が並べられた隣接したランプ１側（前後方向）に撓みを生ずる。よって、ランプ１がブリッジ状に撓んだ場合は、光拡散板とランプ１間の距離が変化し、隣接したランプ１の方向に撓んだ場合には隣接したランプ１間の距離(以下ランプピッチと記す)が変化して、輝度ムラを発生することになる。
【特許文献１】特開２００１−２１０１２６号公報（図２、図４〜図５）
【特許文献２】特開２００１−２６６６３４号公報（図１、図９、図１１〜図１２）
【発明の開示】
【発明が解決しようとする課題】
【００２２】
本発明が解決しようとする課題は、大型化されたバックライト装置あるいはＬＣＤでは、筐体１または反射板４の左右側板間に架橋し、固定したランプ１が上下左右に撓んでも容易に直線状に補正が効くと共にランプピッチを補正して、ランプ１の管ムラの増大を防止可能なバックライト装置およびＬＣＤ並びに光源保持部材（ランプホルダ）を得るにある。
【課題を解決するための手段】
【００２３】
第１の本発明のバックライト装置は、ランプハウスを構成する略長方形状の筐体の内面に反射面を有し、複数のランプが筐体内に配設され、筐体の開口部上に光透過拡散板を設けて照光面上にランプの透過光を得る様に成されたバックライト装置に於いて、
ランプの管壁を押さえ込む方向にランプを保持するランプホルダを筐体に枢着するように成したものである。
【００２４】
第２の本発明のＬＣＤは、略長方形状の筐体の内面に複数のランプを配設させて筐体の開口部上に光透過拡散板を設けた液晶表示装置であって、ランプの管壁を押さえ込む方向にランプを保持するランプホルダを筐体に枢着するように成したものである。
【００２５】
第３の本発明の光源のランプホルダは、基板または基盤にランプの管壁に沿って押さえ込む方向に挿入可能なアーチ状部または溝部を形成するように成したものである。
【発明の効果】
【００２６】
斯かる、本発明のバックライト装置およびＬＣＤ並びランプホルダによれば、大型化されたバックライト装置およびＬＣＤでも筐体１または反射板４の左右側板間に架橋し、固定したランプ１が上下左右に撓んでも容易に直線状に補正が効くと共にランプピッチが補正されて、バックライト装置の集光シートの照光面上での管ムラおよびＬＣＤの液晶セルの照光面上での管ムラを向上させたＬＣＤ及びバックライト装置並びランプホルダを提供可能となる。
【発明を実施するための最良の形態】
【００２７】
以下、本発明の１形態例を示すバックライト装置および液晶表示装置（ＬＣＤ）並びに光源保持部材（ランプホルダ）の構成を図１乃至図６によって説明する。
【００２８】
図１（Ａ）（Ｂ）は本発明のバックライト装置およびＬＣＤに用いるランプホルダの斜視図および図１（Ａ）のＡ−Ａ断面矢視図、図２（Ａ）（Ｂ）（Ｃ）は図１（Ａ）（Ｂ）ランプホルダとＯリングの組み立て構成を示す斜視図および図２（Ａ）のＢ−Ｂ断面矢視図並びにＯリングの他の構成を説明するためのアーチ部の側断面図、図３（Ａ）（Ｂ）は、ランプハウスとなる筺体の開口部側の平面から視たランプホルダの配置方法を示す略線図、図４（Ａ）（Ｂ）は筐体に対しランプホルダの固定方法を説明するための側断面図、図５は本発明の円筒状光源の撓みの防止方法を説明するための斜視図、図６（Ａ）（Ｂ）は本発明のバックライト装置の平面図および図６（Ａ）のＣ−Ｃ断面矢視図である。
【００２９】
図１（Ａ）（Ｂ）乃至図４を説明するに先立ち図５および図６（Ａ）（Ｂ）により、本発明のバックライト装置およびＬＣＤの構成とランプ２３が撓む原因を説明する。図６（Ａ）（Ｂ）はバックライト装置およびＬＣＤの構成を示すもので図６（Ａ）（Ｂ）において、バックライト装置２０は略直方体状の上下左右側板２１ｃ，２１ｄ、２１Ｌ、２１Ｒおよび底面板２１ｂ並びに、この上下左右側板２１ｃ，２１ｄ、２１Ｌ、２１Ｒと一体に開口部２１ａの４辺に形成したフランジ部３３をアルミニュム等でプレス成型した筺体２１と、この筐体２１の底面板２１ｂから上下左右側板２１ｃ，２１ｄ、２１Ｌ、２１Ｒの開口部２１ａに向かって傾斜する傾斜部３４を形成するように打ち抜かれ、開口部２１ａ側に反射面を有する反射体（反射板）２２が配設される。上述の筐体２１と反射板２２は一体に筐体２１あるいは反射板２２として成形しても良い。この場合、筐体２１の底面板２１ｂの内面には反射面として白色の塗料やアルミ箔等が反射板２２として形成される。
【００３０】
左右側板２１Ｌ、２１Ｒと反射板２２の傾斜部３４間には円筒光源支持部２５Ｌ、２５Ｒが形成されている。この円筒光源支持部２５Ｌ、２５Ｒは傾斜した反射板２２に形成した透孔内に図５に示すように、弾力のあるゴム等からなＯリング３６を嵌着し、円筒状光源（ランプ）２３の管壁をＯリング３６の中心孔内に挿入して、筐体２１の底面板２１ｂに配設されているプリント基板３０等にランプ２３のステム４５から導出した電極線３７を半田付けしている。
【００３１】
この、円筒光源支持部２５Ｌ、２５Ｒ間には図６（Ａ）（Ｂ）に示すように、筐体２１の長辺方向に沿い、且つ短辺方向には互に平行となるように複数のランプ３を並設させると共に開口部２１ａの４方向の外方向に延出したフランジ部３３上に、例えば、乳白色アクリル樹脂からなる光透過拡散板２４と、光拡散シート２９とを順次積層させて所定の方法で筺体２１の開口部２１ａ上に固定させることでバックライト装置２０が構成される。このバックライト装置２０の光拡散シート２９上には液晶パネル２８を載置固定させる。このＬＣＤパネル２８は枠部材３１や抑え部材３２を介して光拡散シート２９上に固定する様にしてＬＣＤが構成されている。図６（Ａ）において、３５はランプ２３の撓みを補正するための本発明のランプホルダ３５を示すもので、この場合は撓みの生じたランプ２３部分にランプホルダ３５をランダムに固定した場合を示す。
【００３２】
上記した、構成のバックライト装置およびＬＣＤにおいて、ランプ２３が撓む原因を以下に説明する。今、筐体２１が、例えば、大型化され３０インチ程度の大きさになると、ランプ２３は長尺化され細径（管壁外径、略３ｍｍΦ）のためバックライト装置の組み立ての際にランプ２３自体が自重で下方に撓む場合や、筐体２１あるいは反射板２２は板金加工のためプレス時の工作精度誤差は±０.１から±０.５程度であり、この様な精度で加工された筐体２１や反射板２２にランプ２３を組み込んだ場合ランプ２３の両電極端はプリント基板３０に固定されているため、例えば、反射板２２の傾斜部３４に形成した透孔にゴムのＯリング３６を介してランプ２３を保持しても、図５の手前側に示すランプ２３のようにランプ２３の長手方向と直交するＸ−Ｘ、Ｙ−Ｙ方向（上下左右方向）に撓み３８を発生する。この結果、並設されたランプ２３間の間隔（ランプピッチ）や光透過拡散板２４および反射板２２とランプ２３間の距離が一定に保てなくなり輝度ムラの原因となり均一な照光面をＬＣＤに作り出すことが出来なくなるが本発明ではこの様な弊害を除くことが可能となる。
【００３３】
図１（Ａ）（Ｂ）は本発明の１実施例を示すＬＣＤおよびバックライト装置に利用可能な、ランプホルダ３５を示すものである。図１（Ａ）（Ｂ）の斜視図および側断面図に示す様に略テープ状の可撓性を有する透明あるいは半透明または白色のアクリル樹脂等の合成樹脂、略テープ状の弾性を有する透明あるいは半透明または白色のシリコンゴム等の弾性部材に複数のアーチ状部を形成したものである。
【００３４】
ランプホルダ３５は細長で矩形状（テープ状）の０.５ｔｍｍから５ｔｍｍ程度の白色ポリエチレン合成樹種基板４０あるいはシリコンゴム等の弾性基板４０にアーチ部４１を形成したもので、このアーチ部４１のアーチ内径の天井部分の半径Ｒはランプ２３の外壁の直径より、多少、大きめに選択される。また、アーチ部４１のアーチ内径の高さＨは図１(Ｂ)に示す様にランプホルダ３５が取り付けられる反射板２２あるいは筐体２２の底面板２１ｂの上面との間に形成する通常の間隔１〜３ｍｍ程度の隙間Ｇの値にランプの直径の値を略加算した値に選択する。
【００３５】
さらに、アーチ部４１間のランプピッチＬＰは筐体２１の底面板２１ｂ上に並設されるランプ２３間のランプピッチＬＰと同一に選択される。図１（Ａ）（Ｂ）では４個のアーチ部４１を形成したが、１個以上の適宜の数を選択可能であり、４２はランプホルダ３５を反射板２２あるいは底面板２１ｂに取り付けるための適宜位置に穿った透孔またはネジ孔である。この様なランプホルダ３５を、例えば、図５のＸ軸あるいはＹ軸の様に横(水平)方向あるいは縦(垂直)方向に撓んだランプ２３の上側からアーチ部４１を押し付けるように挿入させれば、横方向あるいは縦方向に撓んだランプ部分はアーチ部のアーチ内径により所定方向に図５の後方のランプ２３のようランプ２３の管壁の撓みを真っ直ぐに補正することができる。
【００３６】
図２（Ａ）（Ｂ）は本発明の他の構成のランプホルダ３５を示すもので、図１（Ｂ）で説明したランプ２３と反射板２２あるいは底面板２１ｂとの間に生ずる隙間Ｇを塞ぐために予めランプ２３の撓み部分の外壁にＯリング３６を嵌着させ、この並設させたＯリング３６上からランプホルダ３５のアーチ部４１のアーチ内径部を挿入させれば、Ｏリングの外径部が反射板２２あるいは底面板２１ｂの上面に当接し、反射板２２あるいは筐体２２の底面板２１ｂの上面との間に形成する通常の間隔１〜３ｍｍ程度の隙間Ｇの値を一定に保つことができる。
【００３７】
図２（Ａ）（Ｂ）の構成では予めランプ２３の撓み部分の外壁にＯリング３６を嵌着させ、この並設させたＯリング３６上からランプホルダ３５のアーチ部４１のアーチ内径部を挿入させたがＯリング３６を図２（Ｃ）の様にＵ字状の弾性部材からなるＵ字部材４３としアーチ部４１のアーチ内径部に形成した溝４４内にＵ字状部材４３を挿入するように成せばランプ２３を固定する前にＯリングを予めランプ２３の撓み部分の外壁にＯリング３６を嵌着させる必要がなく、ランプホルダ３５を反射板２２あるいは底面板２１ｂに固定する段階でＵ字状部材４３を挿入することができる。
【００３８】
図３（Ａ）（Ｂ）および図４（Ａ）（Ｂ）はランプホルダ３５の取り付け位置及び取り付け方法を説明するための筐体２１の略線的な平面図およびランプホルダの側断面図を示すもので、図３（Ａ）の場合はランプ２３の長手方向の略中央位置でＹ軸方向（下方向）
に撓んだランプ２３に３個のアーチ部４１を形成した、３個のランプホルダ３５で撓み３８部分をランプホルダ３５のアーチ部４１のアーチ内径部で押さえ込みランプ２３の撓みを補正することでランプ２３を直線状に並設させた場合である。
【００３９】
図３（Ｂ）の場合は、異なる部分にあるランプ２３の撓みをランプホルダ３５の配置を千鳥状にして、補正した状態を示し、反射板２２あるいは底面板２１ｂへの固定方法は図４（Ａ）に示す様にランプホルダ３５に穿った透孔４２を介して上から反射板２２あるいは底面板２１ｂへネジ４６でネジ止めした場合であり、図４（Ｂ）は反射板２２あるいは底面板２１ｂに穿った透孔を介して下からランプホルダ３５に形成したネジ孔４２にネジ込むようになした場合である。もちろん、これらの固定方法はリベットの結合、接着材の接合、両面テープの接合、あるいはランプホルダ３５の底面に基板と一体に形成した固定ピンなどを反射板２２に形成した透孔に挿入固定しても良い。上述のランプホルダ３５の材質については白色ポリエチレン合成樹種基板について説明したが、要するにＬＣＤあるいはバックライト装置の照光面上に影が出ないような透明、半透明、白色の材質を選択すれば良い。
【００４０】
上述のランプホルダ３５は複数のランプ２３の撓み３８を同時に押さえ込んで撓みを直線状に補正したが図７（Ａ）（Ｂ）（Ｃ）に示す様に１個あるいは１箇所の撓み３８部分を補正するようにしても良い。図７（Ａ）のランプホルダ３５はテープ状の基板４０に略Ω状のアーチ部４１を１個形成してアーチ内径部５１を形成してランプ２３を押圧可能と成し、左右の取付け脚４７に透孔２４を穿って反射板２２に固定可能と成したものであり、図７（Ｂ）に示す構成はアーチ部４１を矩形状の１個の架橋部４９となし、アーチ内径部５１を方形の溝部４８としたものである。これらは、合成樹脂、金属、弾性のある燐青銅等のバネ材で形成可能である。図７（Ｃ）に示すものは図７（Ｂ）の溝部４８の天井部分をドーム状となしたドーム状内径溝５０としたものである。
【００４１】
図７（Ｄ）は略直方体上に形成した基盤５１の下部に並設した複数のランプピッチＬＰに合わせた複数の溝部４８を形成したもので、プレス、切削などで溝部４８を加工すると共にランプホルダ３５の固定用の透孔４２を穿ったものである。図７（Ｅ）に示すものは、図３（Ａ）で説明した並設した複数のランプを一緒に押さえ込む構成のランプホルダ３５を筐体２１の上下側面板２１ｃ、２１ｂにＬ字状あるいはＺ字状に形成した、取付け金具５３、５４を介して固定すると共に略柱状に形成した基盤５２の天板部に光透過拡散板２４の下方向の弛み防止用の１本以上のピン５５を立設し、筐体２１に並設した複数のランプに合わせたドーム状内径部５０を形成したものである。上述のアーチ部の内径部５１、溝部４８、ドーム状内径溝５０の内径は押圧されるランプ２３の外径に応じて選択される。
【００４２】
図８（Ａ）（Ｂ）は本発明のランプホルダ３５の更に他の構成を示すものであり、図８（Ａ）は比較的弾性力のある合成樹脂やピアノ鋼等のバネ鋼材を略Ω状に形成した取付け部４７を筐体２１の底面板２１ｂあるいは反射板２２に穿った略矩形状の透孔５６内に挿入し、ランプ２３のガラス管壁を押し込むように保持させたものである。このような構成によれば、ランプホルダ３５のアーチ内径部５１の上側および左右側はランプ２３のガラスの管壁を押さえ込み下側は図８（Ａ）に示す様に、ランプ２３に予め挿入させて置いたＯリング３６の下側の厚み分Ｄ１で保持されるため、反射板２２あるいは底面板２１ｂとランプ２３との間隔を一定に保つことが出来る。
【００４３】
図８（Ｂ）の場合はランプホルダ３５を図７（Ｂ）と同様に角型に折り曲げ形成して溝部４８を構成した場合である。この場合も溝部の上側および左右側はランプ２３のガラスの管壁を押さえ込み下側は図８（Ｂ）に示す様に、ランプ２３に予め挿入させて置いたＯリング３６の下側の厚み分Ｄ２で保持されるため、反射板２２あるいは底面板２１ｂとランプ２３との間隔を一定に保つことが出来る。
【００４４】
本発明のバックライト装置およびＬＣＤ並びランプホルダによれば、大型化されたバックライト装置およびＬＣＤでも筐体１または反射板４の左右側板間に架橋し、固定したランプ１が上下左右に撓んでも撓んだランプ部分あるいは撓みが生ずると思われる部位を容易に直線状に補正させる事ができると共にランプピッチが補正されて、バックライト装置の集光シートの照光面上での管ムラおよびＬＣＤの液晶セルの照光面上での管ムラを向上させたＬＣＤ及びバックライト装置並びランプホルダを提供可能となる。
【図面の簡単な説明】
【００４５】
【図１】本発明の１形態例を示す液晶表示装置およびバックライト装置に用いる光源保持部材の斜視図である。
【図２】本発明の液晶表示装置およびバックライト装置に用いる光源保持部材の他の構成を示す斜視図である。
【図３】本発明の液晶表示装置およびバックライト装置に取り付ける光源保持部材の取り付け状態を示す平面図である。
【図４】本発明の液晶表示装置およびバックライト装置に取り付ける光源保持部材の取り付け状態を示す側断面図である。
【図５】本発明の液晶表示装置及びバックライト装置の円筒状光源の撓み防止方法を説明するための要部の斜視図である。
【図６】本発明の１形態例を示す液晶表示装置及びバックライト装置の平面図および側断面図である。
【図７】本発明の液晶表示装置及びバックライト装置に用いる光源保持部材の他の構成を示す斜視図である。
【図８】本発明の液晶表示装置及びバックライト装置に用いる光源保持部材の更に他の構成を示す斜視図および側断面図である。
【図９】従来の液晶表示装置及びバックライト装置の全体的側断面図および光源保持装置の保持方法を示す斜視図および側断面図である。
【図１０】従来の他の液晶表示装置及びバックライト装置の全体的斜視図および光源保持装置の保持方法を示す斜視図である。
【符号の説明】
【００４６】
２０‥‥バックライト装置、２１‥‥筐体、２１ａ‥‥開口部、２１ｂ‥‥底面部、２１ｃ‥‥上側板、２１ｄ‥‥下側板、２１Ｌ‥‥左側板、２１Ｒ‥‥右側板、２２‥‥反射板、２３‥‥円筒状光源（ランプ）、２４‥‥光透過拡散板、２９‥‥光拡散シート、３５‥‥光源保持部材(ランプホルダ)
【図１】
2005251479.tif 000003
【図２】
2005251479.tif 000004
【図３】
2005251479.tif 000005
【図４】
2005251479.tif 000006
【図５】
2005251479.tif 000007
【図６】
2005251479.tif 000008
【図７】
2005251479.tif 000009
【図８】
2005251479.tif 000010
【図９】
2005251479.tif 000011
【図１０】
2005251479.tif 000012